(57)【要約】【課題】製造容易でかつ騒音の小さいスクリュー圧縮機を提供する。【解決手段】スクリュー圧縮機１は、第１ねじ山を備える第１ロータ２と、第１ねじ山に噛合う第２ねじ山を有する第２ロータ３と、第１ロータ２と第２ロータ３を回転可能に収納する内周面４ｂを備えるハウジング４と、ハウジング４に形成されてハウジング４に気体を取入れる吸込ポート４ｄと、ハウジング４に形成されてハウジング４から気体を吐出する吐出ポート４ｅを有する。吐出ポート４ｅは、第１ねじ山に対応する第１辺４ｅ１と、第２ねじ山に対応する第２辺４ｅ２と、第１辺４ｅ１と第２辺４ｅ２の少なくとも１つに連通しかつハウジング４の外面４ａから内周面４ｂまで貫通する貫通溝４ｆ１，４ｆ２を有する。【選択図】図４
2013221421.tif 000002
【特許請求の範囲】
【請求項１】
スクリュー圧縮機であって、
第１ねじ山を備える第１ロータと、前記第１ねじ山に噛合う第２ねじ山を備える第２ロータと、前記第１ロータと前記第２ロータを回転可能に収納する内周面を備えるハウジングと、前記ハウジングに形成されて前記ハウジングに気体を取入れる吸込ポートと、前記ハウジングに形成されて前記ハウジングから前記気体を吐出する吐出ポートを有し、
前記吐出ポートは、前記第１ねじ山に対応する第１辺と、前記第２ねじ山に対応する第２辺と、前記第１辺と前記第２辺の少なくとも一方に連通しかつ前記ハウジングの外面から前記内周面まで貫通する貫通溝を有するスクリュー圧縮機。
【請求項２】
請求項１に記載のスクリュー圧縮機の製造方法であって、
前記ハウジングの前記外面から切削工具を当てて前記貫通溝を形成するスクリュー圧縮機の製造方法。
【請求項３】
請求項１に記載のスクリュー圧縮機であって、
前記貫通溝は、前記第１辺と連通する第１貫通溝と、前記第２辺と連通する第２貫通溝を有するスクリュー圧縮機。
【請求項４】
請求項３に記載のスクリュー圧縮機であって、
前記第１ロータは、前記第１ねじ山の間に形成されかつ周方向に第１幅を備える第１ねじ溝を有し、
前記第２ロータは、前記第２ねじ山の間に形成されかつ周方向に第２幅を備える第２ねじ溝を有し、
前記第１辺は、前記第１ねじ山の稜線に平行であり、
前記第２辺は、前記第２ねじ山の稜線に平行であり、
前記第１辺に連通する前記貫通溝は、前記第１辺から第１長さを有し、
前記第２辺に連通する前記貫通溝は、前記第２辺から第２長さを有し、
前記第１長さは、前記第２長さと異なる長さでかつ前記第１長さと前記第２長さの比が前記第１幅と前記第２幅の比と等しくなるように設定されるスクリュー圧縮機。
【請求項５】
請求項３または４に記載のスクリュー圧縮機であって、
前記第１ロータは、前記第１ねじ山の間に形成されかつ周方向に第１幅を備える第１ねじ溝を有し、
前記第２ロータは、前記第２ねじ山の間に形成されかつ周方向に第２幅を備える第２ねじ溝を有し、
前記第１辺は、前記第１ねじ山の稜線に平行であり、
前記第２辺は、前記第２ねじ山の稜線に平行であり、
前記第１辺に連通する前記貫通溝は、前記ハウジングの前記内周面に第１面積を有し、
前記第２辺に連通する前記貫通溝は、前記ハウジングの前記内周面に第２面積を有し、
前記第１面積は、前記第２面積と異なる大きさでかつ前記第１面積と前記第２面積の比が前記第１幅と前記第２幅の比と等しくなるように設定されるスクリュー圧縮機。
【発明の詳細な説明】
【技術分野】
【０００１】
本発明は、気体を圧送するスクリュー圧縮機に関する。
【背景技術】
【０００２】
特許文献１に記載のスクリュー圧縮機は、ねじ状の雄ロータと、雄ロータに噛合うねじ状の雌ロータと、雄ロータと雌ロータを回転可能に収納するケーシングを有する。ケーシングの一端部には気体を吸込む吸込ポートが形成され、ケーシングの他端部には気体を吐出する吐出ポートが形成される。ケーシングの内周面には、吐出ポートに連通する切欠部が形成される。
【０００３】
雄ロータと雌ロータが回転すると、吸込ポートからケーシング内に気体が吸込まれて雄ロータのねじ溝または雌ロータのねじ溝に送入される。気体は、雄ロータと雌ロータによって吐出ポートに向けて送られる。ねじ溝内の空間は、先ず切欠部を介して吐出ポートと連通して徐々に吐出ポートに吐出される。続いてねじ溝内の空間が直接、吐出ポートと連通して吐出ポートから吐出される。したがって切欠部によって吐出ポートから吐出される流量の変化が緩和される。かくして流量変化によって生じ得る騒音が軽減される。
【先行技術文献】
【特許文献】
【０００４】
【特許文献１】特開平２−１９１８９０号公報
【発明の概要】
【発明が解決しようとする課題】
【０００５】
しかし切欠部は、ハウジングの内周面に形成されるために製造することが容易でない。例えば切削工具で加工することが不可能あるいは困難である。そのため製造容易でかつ騒音の小さいスクリュー圧縮機が必要とされている。
【課題を解決するための手段】
【０００６】
本発明の１つの特徴によると、スクリュー圧縮機は、第１ねじ山を備える第１ロータと、第１ねじ山に噛合う第２ねじ山を有する第２ロータと、第１ロータと第２ロータを回転可能に収納する内周面を備えるハウジングと、ハウジングに形成されてハウジングに気体を取入れる吸込ポートと、ハウジングに形成されてハウジングから気体を吐出する吐出ポートを有する。吐出ポートは、第１ねじ山に平行な第１辺と、第２ねじ山に平行な第２辺と、第１辺と第２辺の少なくとも一方に連通しかつハウジングの外面から内周面まで貫通する貫通溝を有する。
【０００７】
したがって貫通溝は、ハウジングの外面から内周面に貫通するため、従来のようにハウジングの内周面に切欠部を形成する場合に比べて簡易に製造され得る。例えば貫通溝は、ハウジングの外面から切削工具を当てることで形成され得る。
【０００８】
第１ロータと第２ロータが回転すると、吸込ポートから気体がハウジング内に吸込まれ、第１ねじ山と第２ねじ山によって気体が吐出ポートに向けて送られる。第１ねじ山または第２ねじ山の間に形成されたねじ溝内の空間は、先ず貫通溝を介して吐出ポートと連通する。これにより空間内の気体が徐々に吐出ポートに吐出される。続いてねじ溝内の空間が直接、吐出ポートと連通し、空間内の気体が吐出ポートから吐出される。したがって貫通溝によって吐出ポートから吐出される気体の流量変化の大きさが緩和される。かくして吐出ポートの脈動の振幅が緩和され、脈動によって生じ得る騒音が軽減される。
【図面の簡単な説明】
【０００９】
【図１】スクリュー圧縮機の斜視図である。
【図２】第１ロータと第２ロータの斜視図である。
【図３】スクリュー圧縮機の正面図である。
【図４】スクリュー圧縮機の下面図である。
【図５】第１ロータと第２ロータの周方向展開図と、該展開図に対応するハウジングの概略図である。
【図６】図１のVI―VI線断面矢視図である。
【図７】ロータの位相と吐出ポートの開口面積の関係図である。
【発明を実施するための形態】
【００１０】
本発明の１つの実施の形態を図１〜７にしたがって説明する。スクリュー圧縮機１は、図１，２に示すように第１ロータ２と第２ロータ３とハウジング４を有する。第１ロータ２は、ねじ状であって軸部２ａと複数の第１ねじ山（歯）２ｂを有する。第２ロータ３も、ねじ状であって軸部３ａと複数の第２ねじ山（歯）３ｂを有する。
【００１１】
軸部２ａ，３ａは、図１，２に示すように円柱状であって、軸部２ａ，３ａの両端部がハウジング４に回転可能に支持される。軸部２ａの一端部と軸部３ａの一端部には、図示省略の歯車が取付けられる。歯車は、噛合って回転し、これにより第１ロータ２と第２ロータ３が逆方向に回転する。
【００１２】
第１ロータ２は、図１，２に示すように雄型であり、第２ロータ３は雌型である。第１ねじ山２ｂの数は３つであり、第２ねじ山３ｂの数４つよりも少ない。第１ねじ山２ｂと第２ねじ山３ｂは、軸部２ａ，３ａから径方向に突出しかつ周方向に湾曲する。第１ねじ山２ｂと第２ねじ山３ｂは、螺旋状でかつ噛合う。第１ねじ山２ｂは、先細り状で先端に１つの稜線２ｂ１を有する。第２ねじ山３ｂは、円弧状の先端面３ｂ３と、先端面３ｂ３の両端にて稜線３ｂ１，３ｂ２を有する。
【００１３】
第１ねじ山２ｂの間には、図２に示すように第１ねじ溝２ｃが形成される。第２ねじ山３ｂの間には第２ねじ溝３ｃが形成される。第１ねじ溝２ｃは、周方向に図５に示す第１幅２ｄを有し、第１幅２ｄは、稜線２ｂ１の間隔で決定される。第２ねじ溝３ｃは、周方向に第２幅３ｄを有し、第２幅３ｄは、第２ねじ溝３ｃの両側に位置する稜線３ｂ１，３ｂ２の距離で決定される。第１幅２ｄは、第２幅３ｄよりも大きい。
【００１４】
ハウジング４の中央には、図１に示すようにボア４ｃが形成される。ボア４ｃは、第１ロータ２と第２ロータ３を回転可能に収納する連続する２つの円柱形状を含む。ハウジング４は、ボア４ｃを形成する内周面４ｂを有する。内周面４ｂと第１ねじ溝２ｃは、協働して第１ねじ溝空間（閉込室）５ａを形成する。内周面４ｂと第２ねじ溝３ｃは、協働して第２ねじ溝空間（閉込室）５ｂを形成する。
【００１５】
内周面４ｂと第１ねじ溝２ｃと第２ねじ溝３ｃは、図１に示すように協働して第３ねじ溝空間５ｃを形成する。第３ねじ溝空間５ｃは、気体の吸入時に、第１ねじ溝空間５ａと第２ねじ溝空間５ｂとが連通している場合において形成される空間である。主に第３ねじ溝空間５ｃが形成されている時にハウジング４内に気体が吸入される。
【００１６】
ハウジング４の軸方向一端部には、図３に示すように吸込ポート４ｄが形成される。吸込ポート４ｄは、ハウジング４の上側領域に位置し、ボア４ｃに連通する。吸込ポート４ｄは、ボア４ｃの一端縁に沿う連続する２つの円弧形状を含む。第１ロータ２が反時計回りに回転し、第２ロータ３が第１ロータ２と逆方向の時計回りに回転する。
【００１７】
第１ロータ２と第２ロータ３が回転すると、吸込ポート４ｄから気体（空気等）がハウジング４内へ取入れられる。気体は、第１ねじ溝空間５ａ、第２ねじ溝空間５ｂ、第３ねじ溝空間５ｃに吸込まれる。第１ロータ２と第２ロータ３が回転することで気体が圧縮されつつ軸方向に移動しかつ回転して図４に示す吐出ポート４ｅに向けて送られる。
【００１８】
吐出ポート４ｅは、図４に示すようにハウジング４の下面に設けられる。吐出ポート４ｅは、吸込ポート４ｄが設けられたハウジング４の一端部と反対の端部近傍に位置する。吐出ポート４ｅは、略三角形であって、第１辺４ｅ１と第２辺４ｅ２と第３辺４ｅ３を有する。
【００１９】
第１辺４ｅ１は、図５に示すように第１ロータ２の稜線２ｂ１に略平行である。第２辺４ｅ２は、第２ロータ３の稜線３ｂ１，３ｂ２に略平行である。稜線２ｂ１，３ｂ１，３ｂ２は、展開図において略直線であって、第１辺４ｅ１と第２辺４ｅ２は、図５の展開図および図４の平面図において略直線である。第３辺４ｅ３は、図５に示すように第１ロータ２と第２ロータ３の軸方向の他端部に略平行である。
【００２０】
吐出ポート４ｅは、図４，５に示すように第１貫通溝４ｆ１と第２貫通溝４ｆ２を含む。第１貫通溝４ｆ１は、第１辺４ｅ１から突出し、第１辺４ｅ１に対して略直交する。第２貫通溝４ｆ２は、第２辺４ｅ２から突出し、第２辺４ｅ２に対して略直交する。第１貫通溝４ｆ１と第２貫通溝４ｆ２は、先細り状であって、幅が広い基部と幅が狭い先端部を有する。
【００２１】
第１貫通溝４ｆ１と第２貫通溝４ｆ２は、図４，６に示すようにハウジング４の外面４ａから内周面４ｂに厚み方向に貫通する。例えば、ハウジング４の外面４ａから内周面４ｂに切削工具８を移動させて第１貫通溝４ｆ１と第２貫通溝４ｆ２が形成される。第１貫通溝４ｆ１は、ハウジング４の外面４ａから第１ロータ２に向けてハウジング４を貫通する。第２貫通溝４ｆ２は、ハウジング４の外面４ａから第２ロータ３に向けてハウジング４を貫通する。
【００２２】
第１貫通溝４ｆ１は、図４，５に示すように第１辺４ｅ１から第１長さ４ｇ１を有する。第２貫通溝４ｆ２は、第２辺４ｅ２から第２長さ４ｇ２を有する。第１長さ４ｇ１は、第２長さ４ｇ２よりも長い。第１長さ４ｇ１は、第１ねじ溝２ｃの第１幅２ｄと略同じでかつ第１幅２ｄよりも短い。したがって吐出ポート４ｅは、隣接する第１ねじ溝２ｃによって形成される空間と連通するが、隣接する第１ねじ溝２ｃを超えて他の第１ねじ溝２ｃによって形成される空間と連通しない。
【００２３】
第２長さ４ｇ２は、図４，５に示すように第２ねじ溝３ｃの第２幅３ｄと略同じでかつ第２幅３ｄよりも短い。したがって吐出ポート４ｅは、隣接する第２ねじ溝３ｃによって形成される空間と連通するが、隣接する第２ねじ溝３ｃを超えて他の第２ねじ溝３ｃによって形成される空間と連通しない。
【００２４】
第１長さ４ｇ１と第２長さ４ｇ２の比は、図５に示すように第１ねじ溝２ｃの第１幅２ｄと第２ねじ溝３ｃの第２幅３ｄの比と略等しい。例えば該比の１０％以内に設定される。したがって第１ロータ２と第２ロータ３が回転し、第１ねじ溝２ｃ内の空間が第１貫通溝４ｆ１に到達する時間と、第２ねじ溝３ｃ内の空間が第２貫通溝４ｆ２に到達する時間が略等しい。
【００２５】
第１貫通溝４ｆ１は、図４に示すようにハウジング４の内周面４ｂにおいて第１面積を有する。第２貫通溝４ｆ２は、ハウジング４の内周面４ｂにおいて第２面積を有する。第１面積は、第２面積よりも大きい。第１面積と第２面積の比は、第１幅２ｄと第２幅３ｄの比と略等しく、例えば該比の１０％以内に設定される。
【００２６】
第１ロータ２と第２ロータ３を回転させることで、図１に示すように吸込ポート４ｄから第１ねじ溝空間５ａ、第２ねじ溝空間５ｂ、第３ねじ溝空間５ｃに気体が吸込まれる。第１ねじ溝空間５ａと第２ねじ溝空間５ｂ内の気体が第１ロータ２と第２ロータ３によって吐出ポート４ｅへ送られる。
【００２７】
第１ねじ溝空間５ａと第２ねじ溝空間５ｂは、図５，７に示すように第１貫通溝４ｆ１と第２貫通溝４ｆ２を介して吐出ポート４ｅに連通する。図７の線６は、第１ねじ溝空間５ａと第２ねじ溝空間５ｂが吐出ポート４ｅに開口する面積の変化を示す。線６の第１線部６ａは、第１ねじ溝空間５ａと第２ねじ溝空間５ｂが第１貫通溝４ｆ１と第２貫通溝４ｆ２に開口する面積の変化を示し、徐々に上昇している。これにより第１ねじ溝空間５ａと第２ねじ溝空間５ｂから第１貫通溝４ｆ１と第２貫通溝４ｆ２を介して吐出ポート４ｅへの流体の流量は、徐々に増大する。
【００２８】
その後、第１ねじ溝空間５ａと第２ねじ溝空間５ｂは、吐出ポート４ｅに直接連通する。図７の線６の第２線部６ｂは、第１ねじ溝空間５ａと第２ねじ溝空間５ｂが第１貫通溝４ｆ１と第２貫通溝４ｆ２に開口する面積と、吐出ポート４ｅに開口する面積の和の変化を示す。開口面積は、急激に上昇している。これにより第１ねじ溝空間５ａと第２ねじ溝空間５ｂから吐出ポート４ｅへの流体の流量は、急激に増大する。
【００２９】
以上のようにスクリュー圧縮機１は、図２，４に示すように第１ねじ山２ｂを備える第１ロータ２と、第１ねじ山２ｂに噛合う第２ねじ山３ｂを有する第２ロータ３と、第１ロータ２と第２ロータ３を回転可能に収納する内周面４ｂを備えるハウジング４と、ハウジング４に形成されてハウジング４に気体を取入れる吸込ポート４ｄと、ハウジング４に形成されてハウジング４から気体を吐出する吐出ポート４ｅを有する。吐出ポート４ｅは、第１ねじ山２ｂに対応する第１辺４ｅ１と、第２ねじ山３ｂに対応する第２辺４ｅ２と、第１辺４ｅ１と第２辺４ｅ２の少なくとも１つと連通しかつハウジング４の外面４ａから内周面４ｂまで貫通する第１貫通溝４ｆ１または第２貫通孔４ｆ２を有する。
【００３０】
したがって第１貫通溝４ｆ１は、ハウジング４の外面４ａから内周面４ｂに貫通するため、従来のようにハウジングの内周面に切欠部を形成する場合に比べて簡易に製造され得る。例えば第１貫通溝４ｆ１は、図６に示すようにハウジング４の外面４ａから切削工具８を当てることで形成され得る。
【００３１】
第１ロータ２と第２ロータ３が回転すると、図２，５に示すように吸込ポート４ｄから気体がハウジング４内に吸込まれ、第１ねじ山２ｂと第２ねじ３ｂによって気体が吐出ポート４ｅに向けて送られる。第１ねじ山２ｂの間に形成された第１ねじ溝２ｃ内の空間は、先ず第１貫通溝４ｆ１を介して吐出ポート４ｅと連通する。これにより空間内の気体が徐々に吐出ポート４ｅに吐出される。続いて第１ねじ溝２ｃ内の空間が直接、吐出ポート４ｅと連通し、空間内の気体が吐出ポート４ｅから吐出される。したがって第１貫通溝４ｆ１によって吐出ポート４ｅから吐出される気体の流量変化の大きさが緩和される。かくして吐出ポート４ｅの脈動の振幅が緩和され、脈動によって生じ得る騒音が軽減される。
【００３２】
吐出ポート４ｅは、図４，５に示すように第１辺４ｅ１と連通する第２貫通溝４ｆ１と、第２辺４ｅ２と連通する第２貫通溝４ｆ２を有する。したがって第２貫通溝４ｆ２も、第１貫通溝４ｆ１と同様の効果を発揮し、かつ簡易に製造され得る。第１ロータ２から吐出ポート４ｅに吐出される気体の流量変化は、第１貫通溝４ｆ１によって軽減され、第２ロータ３から吐出ポート４ｅに吐出される気体の流量変化は、第２貫通溝４ｆ２によって軽減される。そのため吐出ポート４ｅへ吐出される気体の流量変化が確実に軽減され得る。
【００３３】
第１ロータ２は、図４，５に示すように第１ねじ山２ｂの間に形成されかつ周方向に第１幅２ｄを備える第１ねじ溝２ｃを有する。第２ロータ３は、第２ねじ山３ｂの間に形成されかつ周方向に第２幅３ｄを備える第２ねじ溝３ｃを有する。第１辺４ｅ１は、第１ねじ山２ｂの稜線２ｂ１に平行である。第２辺４ｅ２は、第２ねじ山３ｂの稜線３ｂ１，３ｂ２に平行である。第１辺４ｅ１に連通する第１貫通溝４ｆ１は、第１辺４ｅ１から第１長さ４ｇ１を有する。第２辺４ｅ２に連通する第２貫通溝４ｆ２は、第２辺４ｅ２から第２長さ４ｇ２を有する。第１長さ４ｇ１は、第２長さ４ｇ２と異なる長さでかつ第１長さ４ｇ１と第２長さ４ｇ２の比が第１幅２ｄと第２幅３ｄの比と等しくなるように設定される。
【００３４】
したがって第１ロータ２と第２ロータ３は、第１ねじ溝２ｃと第２ねじ溝３ｃが同期しつつ回転し、第１ねじ溝２ｃが第１貫通溝４ｆ１に到達すると、第２ねじ溝３ｃが第２貫通溝４ｆ２に到達する。そのため第１ねじ溝２ｃ内の気体と、第２ねじ溝３ｃ内の気体は、略同時に第１貫通溝４ｆ１または第２貫通溝４ｆ２を介して吐出ポート４ｅと連通する。そのため吐出ポート４ｅ内の脈動の幅が確実に軽減され得る。
【００３５】
第１ロータ２は、図４，５に示すように第１幅２ｄを備える第１ねじ溝２ｃを有する。第２ロータ３は、第２幅３ｄを備える第２ねじ溝３ｃを有する。第１貫通溝４ｆ１は、ハウジング４の内周面４ｂに第１面積を有する。第２貫通溝４ｆ２は、ハウジング４の内周面４ｂに第２面積を有する。第１面積は、第２面積と異なる大きさでかつ第１面積と第２面積の比が第１幅２ｄと第２幅３ｄの比と等しくなるように設定される。
【００３６】
したがって第１ねじ溝２ｃと第２ねじ溝３ｃの幅の大きさに対応して第１貫通溝４ｆ１と第２貫通溝４ｆ２の大きさが決定される。第１ねじ溝２ｃと第２ねじ溝３ｃに閉じ込められる気体の量も第１ねじ溝２ｃと第２ねじ溝３ｃの幅の大きさに対応する。そのため閉じ込められた気体の量が多いほど大きい第１貫通溝４ｆ１または第２貫通溝４ｆ２を介して吐出ポート４ｅに導かれ得る。これにより吐出ポート４ｅにおける脈動の振幅が確実に軽減され得る。
【００３７】
第１貫通溝４ｆ１は、図４，５に示すように第１辺４ｅ１に対して略直交する。第２貫通溝４ｆ２は、第２辺４ｅ２に対して略直交する。したがって第１貫通溝４ｆ１と第２貫通溝４ｆ２は、切削工具８がハウジング４に対して左右均等の力を受けつつ形成され、簡易かつ精度良く形成され得る。
【００３８】
本発明の形態を上記構造を参照して説明したが、本発明の目的を逸脱せずに多くの交代、改良、変更が可能であることは当業者であれば明らかである。したがって本発明の形態は、添付された請求項の精神と目的を逸脱しない全ての交代、改良、変更を含み得る。例えば本発明の形態は、前記特別な構造に限定されず、下記のように変更が可能である。
【００３９】
吐出ポート４ｅは、図４に示すように２つの貫通溝（第１貫通溝４ｆ１と第２貫通溝４ｆ２）を含んでいても良いし、２つの貫通溝のうちの１つを含んでいても良い。あるいは他の貫通溝を含み、３つ以上の貫通溝を含んでいても良い。
【００４０】
スクリュー圧縮機１は、図１に示すように雄型の第１ロータ２と雌型の第２ロータを有しても良いし、雌型の第１ロータと雄型の第２ロータを有していても良い。
【００４１】
第１貫通溝４ｆ１と第２貫通溝４ｆ２は、図６に示すようにハウジング４の厚みに対して略直交に貫通していても良いし、ハウジング４の外面４ａから内周面４ｂまで貫通しかつハウジング４の厚みに対して傾斜していても良い。
【００４２】
第１貫通溝４ｆ１と第２貫通溝４ｆ２は、図６に示すように切削工具８で形成しても良いし、また、型で形成しても良く、例えば鋳型を用いる場合においては型抜きが非常に容易となる。
【００４３】
第１貫通溝４ｆ１と第２貫通溝４ｆ２は、図４に示すように一次関数の先細り形状でも良いし、二次関数あるいは他の態様の先細り形状でも良い。
【００４４】
第１貫通溝４ｆ１と第２貫通溝４ｆ２は、図４に示すように第１辺４ｅ１または第２辺４ｅ２に対して略直交していても良いし、他の角度を有していても良い。
【００４５】
スクリュー圧縮機１は、汎用の圧縮機、ポンプ、エンジン用過給機等の自動車部品に用いられ得る。
【符号の説明】
【００４６】
１     スクリュー圧縮機
２     第１ロータ
２ａ，３ａ    軸部
２ｂ   第１ねじ山
２ｂ１，３ｂ１，３ｂ２      稜線
２ｃ   第１ねじ溝
２ｄ   第１幅
３     第２ロータ
３ｂ   第２ねじ山
３ｃ   第２ねじ溝
３ｄ   第２幅
４     ハウジング
４ａ   外面
４ｂ   内周面
４ｃ   ボア
４ｄ   吸込ポート
４ｅ   吐出ポート
４ｅ１ 第１辺
４ｅ２ 第２辺
４ｅ３ 第３辺
４ｆ１ 第１貫通溝
４ｆ２ 第２貫通溝
５ａ   第１溝空間
５ｂ   第２溝空間
５ｃ   第３溝空間
８     切削工具
【図１】
2013221421.tif 000003
【図２】
2013221421.tif 000004
【図３】
2013221421.tif 000005
【図４】
2013221421.tif 000006
【図５】
2013221421.tif 000007
【図６】
2013221421.tif 000008
【図７】
2013221421.tif 000009
【手続補正書】
【提出日】平成24年4月24日(2012.4.24)
【手続補正１】
【補正対象書類名】図面
【補正対象項目名】図４
【補正方法】変更
【補正の内容】
【図４】
2013221421.tif 000010
【手続補正２】
【補正対象書類名】図面
【補正対象項目名】図５
【補正方法】変更
【補正の内容】
【図５】
2013221421.tif 000011